(57)【要約】【課題】開封方向を限定せずに、折込部を引き裂くことなく容易に開封可能な包装袋を提供する。【解決手段】包装袋１０は、奥行方向に沿う両側端より内方に折りこまれた一対の折込部１３が形成され、幅方向に沿う両端域１２ａ，１２ｂにおいて、折込部１３、および折込部１３以外つまり折込部１３の谷部１３ａ等となる位置の間が、それぞれ封止されている。折込部１３上には、ガイド線１５が奥行方向に沿って付されており、これより幅方向中央側には、折込部１３上に収まるようにサブガイド線１６が付されている。サブガイド線１６は、ガイド線１５に平行に伸びる平行部１７と、この平行部１７の両端からガイド線１５に近づく斜線部１８ａ，１８ｂとにより構成されている。【選択図】図１
2019206370.tif 000002
【特許請求の範囲】
【請求項１】
フィルムからなり、幅方向に沿う両端域においてフィルムの裏面を合わせて封止されるとともに、側面または一方の平面にてフィルムが合わさって奥行方向に沿って封止される合わせ部が形成された包装袋であって、
奥行方向に沿う一方の側端の近傍に当該側端に沿って付されるガイド線と、
前記ガイド線より幅方向中央側に付され、一端または両端において前記ガイド線に近づく部分と、その部分につながり前記ガイド線に対して平行ないしは凸状の部分と、により構成されるサブガイド線とを有することを特徴とする包装袋。
【請求項２】
フィルムからなり、奥行方向に沿う両側端より内方に折りこまれた一対の折込部が形成され、幅方向に沿う両端域において前記折込部および前記折込部以外の部分のいずれもが、それぞれフィルムの裏面を合わせて封止されるとともに、一方の平面にて幅方向の双方より中央側に伸びるフィルムが合わさって奥行方向に沿って封止される合わせ部が形成される包装袋であって、
前記折込部に奥行方向に沿って付されるガイド線と、
前記ガイド線より幅方向中央側の前記折込部上に付され、一端または両端において前記ガイド線に近づく部分と、その部分につながり前記ガイド線に対して平行ないしは凸状の部分と、により構成されるサブガイド線とを有することを特徴とする包装袋。
【請求項３】
前記ガイド線は、包装袋を開いた場合に、前記側端と、この側端より前記折込部の深さに相当する距離において奥行方向に沿う仮想線との間の領域に付される請求項２に記載の包装袋。
【請求項４】
前記サブガイド線は、一端または両端から前記ガイド線に近づく斜線部と、この斜線部につながり前記ガイド線に対して平行に伸びる平行部とにより構成される請求項１から３のいずれかに記載の包装袋。
【請求項５】
前記斜線部は、奥行方向に前記平行部から離れるように伸びる請求項４に記載の包装袋。
【請求項６】
前記平行部は、前記斜線部より長い請求項４または５に記載の包装袋。
【請求項７】
前記サブガイド線は、両端において前記ガイド線に近づく連続的な円弧線により構成される請求項１から３のいずれかに記載の包装袋。
【請求項８】
前記ガイド線と前記サブガイド線とが接触しない請求項１から７のいずれかに記載の包装袋。
【請求項９】
隣り合う前記サブガイド線が交差しない請求項１から８のいずれかに記載の包装袋。
【請求項１０】
幅方向に沿う両端縁に連続的なノッチが形成される請求項１から９のいずれかに記載の包装袋。
【発明の詳細な説明】
【技術分野】
【０００１】
本発明は、折込部を引き裂くことなく容易に開封可能な包装袋に関する。
【背景技術】
【０００２】
フィルムからなる袋においては、端縁を引き裂いて容易に開封が可能な袋として、たとえば、図７に示す包装袋１００のように、箱等の方形体の内容物を収容可能な、いわゆるガゼット（ピロー）タイプの袋が知られている。
【０００３】
このガゼットタイプの包装袋１００では、奥行Ｘ方向に沿う幅方向の中央域が、その双方より伸びるフィルムの裏面を貼り合わせた、いわゆる合掌貼りの合わせ部１０１となっており、この合わせ部１０１は、熱融着によりシールされ、その先端１０１ａが包装袋１００の外面に接するように折り曲げられている。
【０００４】
また、包装袋１００の幅方向に沿う両端域１０２も、合わせ部１０１と同様に熱融着によりシールされている。より詳しくは、奥行方向に沿う両側端より内方に折りこまれて一対の折込部１０３が形成されており、内容物を詰め込んだ後、幅方向に沿う両端域１０２では、折込部１０３および折込部１０３以外のいずれもが、それぞれフィルムの裏面が合わさってシールされている。
【０００５】
このガゼットタイプの包装袋１００では、幅方向に沿う両端域１０２の少なくとも一方に切込み１０４を形成して開封を容易にしたものがある。しかし、単に切込みを形成しただけでは、開封時にシールされた領域において引裂きが折込部に到達してしまい開封に失敗することがある。
【０００６】
これを避けるべく、本出願人は、特許文献１において、開封開始点から奥行方向に沿う一方の側端に向けて、幅方向に沿う一方の端縁から離れるように形成されたガイド線を、奥行方向に沿って付すとともに、一方の側端の近傍に、ガイド線の先端をつなぐサブガイド線を、奥行方向に沿って付した包装袋を提案している。
【０００７】
この提案によれば、ガイド線を等間隔に加工することで、エンドレスデザインに対応して、開封の際にガイド線からサブガイド線へスムーズに誘導でき、易開封性を付与することが可能となる。
【先行技術文献】
【特許文献】
【０００８】
【特許文献１】特開２０１７−１７４３号公報
【発明の開示】
【発明が解決しようとする課題】
【０００９】
しかしながら、特許文献１の提案では、ガイド線を付する位置は折込部より内側を起点とし、形状は斜線を主とした一方の端縁から離れる向きのみからなるデザインであった。そのため、たとえば幅方向に沿う両端縁に連続的なノッチを形成する等して、開封方向を限定せずに、他方の端縁から開封するために袋を逆転させると、ガイド線からサブガイド線への誘導し難くなり、易開封性が損なわれるおそれがあった。
【００１０】
本発明の目的は、開封方向を限定せずに、折込部を引き裂くことなく容易に開封可能な包装袋を提供することにある。
【課題を解決するための手段】
【００１１】
上記課題を解決するために、本発明者は鋭意検討を重ねた結果、側端近傍に奥行方向に沿って付されるガイド線より幅方向中央側に、一端または両端においてガイド線に近づくとともに、ガイド線と平行でない部分においては角が無い形状のサブガイド線を付すことにより、奥行方向を反転させてもガイド線へ誘導するように機能することを見出し、本発明に至った。したがって、本発明の課題を解決する手段は、以下の通りである。
【００１２】
＜１＞  フィルムからなり、幅方向に沿う両端域においてフィルムの裏面を合わせて封止されるとともに、側面または一方の平面にてフィルムが合わさって奥行方向に沿って封止される合わせ部が形成された包装袋であって、奥行方向に沿う一方の側端の近傍に当該側端に沿って付されるガイド線と、前記ガイド線より幅方向中央側に付され、一端または両端において前記ガイド線に近づく部分と、その部分につながり前記ガイド線に対して平行ないしは凸状の部分と、により構成されるサブガイド線とを有することを特徴とする包装袋である。
【００１３】
＜２＞  フィルムからなり、奥行方向に沿う両側端より内方に折りこまれた一対の折込部が形成され、幅方向に沿う両端域において前記折込部および前記折込部以外の部分のいずれもが、それぞれフィルムの裏面を合わせて封止されるとともに、一方の平面にて幅方向の双方より中央側に伸びるフィルムが合わさって奥行方向に沿って封止される合わせ部が形成される包装袋であって、前記折込部に奥行方向に沿って付されるガイド線と、前記ガイド線より幅方向中央側の前記折込部上に付され、一端または両端において前記ガイド線に近づく部分と、その部分につながり前記ガイド線に対して平行ないしは凸状の部分と、により構成されるサブガイド線とを有することを特徴とする包装袋である。
【００１４】
＜３＞  前記ガイド線は、包装袋を開いた場合に、前記側端と、この側端より前記折込部の深さに相当する距離において奥行方向に沿う仮想線との間の領域に付される＜２＞に記載の包装袋である。
【００１５】
＜４＞  前記サブガイド線は、一端または両端から前記ガイド線に近づく斜線部と、この斜線部につながり前記ガイド線に対して平行に伸びる平行部とにより構成される＜１＞から＜３＞のいずれかに記載の包装袋である。
【００１６】
＜５＞  前記斜線部は、奥行方向に前記平行部から離れるように伸びる＜４＞に記載の包装袋である。
【００１７】
＜６＞  前記平行部は、前記斜線部より長い＜４＞または＜５＞に記載の包装袋である。
【００１８】
＜７＞  前記サブガイド線は、両端において前記ガイド線に近づく連続的な円弧線により構成される＜１＞から＜３＞のいずれかに記載の包装袋である。
【００１９】
＜８＞  前記サブガイド線の全長は、前記両端域の基端から収容予定の内容物を収容した場合の包装袋の頂部までの距離の０．３倍〜２．０倍である＜１＞から＜７＞のいずれかに記載の包装袋である。
【００２０】
＜９＞  前記サブガイド線の全長は、前記両端域の基端から収容予定の内容物を収容した場合の包装袋の頂部までの距離の０．５倍〜１．５倍である＜８＞に記載の包装袋である。
【００２１】
＜１０＞  前記ガイド線と前記サブガイド線とが接触しない＜１＞から＜９＞のいずれかに記載の包装袋である。
【００２２】
＜１１＞  隣り合う前記サブガイド線が交差しない＜１＞から＜１０＞のいずれかに記載の包装袋である。
【００２３】
＜１２＞  隣り合う前記サブガイド線の間隔が１ｍｍ以内である＜１１＞に記載の包装袋である。
【００２４】
＜１３＞  幅方向に沿う両端縁に連続的なノッチが形成される＜１＞から＜１２＞のいずれかに記載の包装袋である。
【００２５】
なお、本発明において、「ガイド線」および「サブガイド線」とは、袋を構成するフィルムやシートなどの外面に線状に設けられた傷または凹みを意味する。これらは、フィルム等の外面から厚さ方向の一部を削り取ることにより、フィルム等に負荷を加えた際に該当部分より引き裂きやすくする。
【００２６】
また、上述の傷または凹みは、形成時に連続的に付してもよいし、断続的に破線状に付してもよく、さらには、これらの組み合わせであってもよい。
【００２７】
さらに、上述の傷または凹みは、目視により概ね線状と判断できればよく、厳密に、その幅は問わない趣旨である。
【発明の効果】
【００２８】
本発明の包装袋の第１の態様では、奥行方向に沿う一方の側端の近傍に当該側端に沿って付されるガイド線より幅方向中央側に、一端または両端においてガイド線に近づく部分と、その部分につながり前記ガイド線に対して平行ないしは凸状の部分と、により構成されるサブガイド線を付している。このように、サブガイド線を、奥行方向を反転させてもガイド線へ近づけられる形状としたため、開封方向を逆転させた場合であっても、開封時に引裂きがサブガイド線からガイド線にスムーズに誘導される。これにより、開封方向を限定せずに容易に開封可能となる。
【００２９】
本発明の包装袋の第２の態様では、折込部の奥行方向に沿って付されるガイド線より幅方向中央側の折込部上に、一端または両端においてガイド線に近づく部分と、その部分につながり前記ガイド線に対して平行ないしは凸状の部分と、により構成されるサブガイド線を付している。このように、サブガイド線を、折込部上に収まるように付すとともに、奥行方向を反転させてもガイド線へ近づけられる形状としたため、開封方向を逆転させた場合であっても、開封時に引裂きがサブガイド線からガイド線にスムーズに誘導される。これにより、開封方向を限定せずに、折込部を引き裂くことなく容易に開封可能となる。
【図面の簡単な説明】
【００３０】
【図１】図１は、本発明の一形態の包装袋の表面図である。
【図２】図２は、図１のａ部拡大図である。
【図３】図３は、図１のｂ部拡大図である。
【図４】図４は、本発明の一形態の包装袋の一例を撮影した写真である。
【図５】図５は、本発明の他の形態の包装袋の表面図である。
【図６】図６は、本発明のさらに他の形態の包装袋の表面図である。
【図７】図７は、従来における本発明の包装袋と同タイプの袋の概略構成図である。
【発明を実施するための形態】
【００３１】
本発明の実施の形態を、図面を参照しながら詳細に説明する。なお、全図において同一機能を有するものは原則として同一の名称ないし符号を付すようにし、その繰り返しの説明は可能な限り省略するようにしている。図１は本発明の一形態の包装袋の表面図、図２は図１のａ部拡大図、図３は図１のｂ部拡大図である。
【００３２】
本発明の包装袋１０は、先に述べた従来の包装袋１００（図７参照）と同様に、熱融着によりシール（封止）された裏面側の合わせ部（センターシール部）１１と、幅方向に沿う両端域１２ａ，１２ｂ（以下、端域１２ａは「トップシール部」、端域１２ｂは「ボトムシール部」と言う。）と、折込部１３とを有している。ボトムシール部１２ａおよびトップシール部１２ｂには、開封開始点としての連続したノッチ（ギザノッチ）１４ａ，１４ｂがそれぞれ形成されている。
【００３３】
折込部１３上には、直線状のガイド線１５が、長さ（奥行）方向に沿って付されている。なお、ガイド線１５は、通常は図示のように直線状であるが、たとえば緩やかな波線状等、直線状から大きく逸脱しない範囲の形状で、目的に応じて適宜変更してもよい。
【００３４】
ガイド線１５より幅方向中央側、つまり折込部１３表面の内側には、サブガイド線１６が、長さ方向に沿って規則的に、トップシール部１２ａおよびボトムシール部１２ｂ上を含めてエンドレスに付されている。
【００３５】
このサブガイド線１６は、包装袋１０の長さ方向に沿う側端１２ｃと、折込部１３の谷部１３ａとの間、つまり、包装袋１０を開いた場合に、側端１２ｃと、この側端１２ｃより折込部の深さｆに相当する距離において奥行方向に沿う仮想線（谷部１３ａに相当）との間の領域に付されている。
【００３６】
サブガイド線１６は、平行部１７と斜線部１８ａ，１８ｂとを有し、ガイド線１５と合わせると略台形状に形成されている。なお、平行部１７と斜線部１８ａ，１８ｂとの間の角は、誘導機能の他、加工性や意匠性を考慮して若干丸みを帯びた形状となっている。
【００３７】
平行部１７は、谷部１３ａの近傍にて、長さ方向つまりガイド線１５の伸びる方向に、平行に相対的に長く直線状に伸びている。斜線部１８ａ，１８ｂは、これにつながる平行部１７の両端より、折れ曲がってガイド線１５に近づく一方、平行部１７からは離れる向きに相対的に短く伸びている。つまり、サブガイド線１６は、平行部１７の両端において折れ曲がる斜線部１８ａ，１８ｂによってガイド線１５に近づくようになっている。
【００３８】
サブガイド線１６は、最も幅方向中央側の部分つまりこの例では平行部１７が、折込部１３の谷部１３ａの近傍に位置するように付し、谷部１３ａからの距離ｅ（図２参照）が谷部１３ａから側端１２ｃまでの距離、つまり折込部１３の深さｆに対して１割弱程度の距離の位置に付すことが好ましい。サブガイド線１６が谷部１３ａから離れすぎていると、開封時に引裂き方向にて内容物に接触して強い力を要したり、その接触により内容物が損傷するおそれがある。
【００３９】
また、ガイド線１５は、包装袋１０の幅や折込部１３の深さｆにもよるが、側端１２ｃから５ｍｍ〜１０ｍｍ程度の位置に付すことが好ましい。ガイド線１５を付す位置が、側端１２ｃに寄りすぎると内容物の角に当たって袋が損傷するおそれがある一方、内側に寄りすぎると開封時に引裂き方向にて内容物に接触するおそれがある。
【００４０】
ガイド線１５とサブガイド線１６との間、つまりガイド線１５と斜線部１８ａ，１８ｂの先端とは、図２に示すように、接触しないことが好ましい。これにより、開封時に、一旦サブガイド線１６からガイド線１５に進んだ引裂きが、開封方向から見てガイド線１５から離れる向きに伸びる斜線部１８ａまたは１８ｂを介してサブガイド線１６に戻ることなく、サブガイド線１６からガイド線１５への誘導を、よりスムーズに行い易くなる。また、サブガイド線１６の加工時に、ガイド線１５とつながらないので、製品としての耐傷性も向上する。
【００４１】
なお、ガイド線１５とサブガイド線１６の間の距離は特に制限は無いが、上述したガイド線１５やサブガイド線１６の付す位置の好ましい範囲において、近いほど好ましい。
【００４２】
また、サブガイド線１６は、斜線部１８ａ，１８ｂを、ガイド線１５に近づくに連れて、長さ方向に平行部１７の中央側に近づくように伸びるように形成したり、双方で長さや角度が異なるように形成してもよい。ただし、ガイド線１５への誘導およびサブガイド線１６の加工を容易にするためには、図１に示したように、斜線部１８ａ，１８ｂは、長さ方向に平行部１７の中央側とは逆に離れるように、同じ長さおよび角度にて、長さ方向において上下対称形状に伸びることが好ましい。同様の理由から、サブガイド線１６における平行部１７と斜線部１８ａ，１８ｂの長さは、いずれを相対的に長く付してもよいが、図１に示したように平行部１７を斜線部１８ａ，１８ｂより長く付すことが好ましい。
【００４３】
さらに、長さ方向において隣り合うサブガイド線１６は、交差するように付してもよいが、長さや角度と同様に、ガイド線１５への誘導機能と加工の容易性を考慮すれば、図１に示したように交差しないことが好ましい。その一方で、サブガイド線１６の間隔、つまり隣り合うサブガイド線１６における斜線部１８ｂと斜線部１８ａとの間隔ｋ（図３参照）は、通常１ｍｍ以内であり、０．５ｍｍ程度が好ましい。間隔ｋが１ｍｍより長くなると、サブガイド線１６の平行部１７が短くなるので、ガイド線１５への誘導機能が低下することがある。
【００４４】
サブガイド線１６の全長は、端域つまりトップシール部１２ａまたはボトムシール部１２ｂから収容予定の内容物を収容した場合の包装袋１０の頂部までの距離（図７に示したαに相当する距離）の通常０．３倍〜２．０倍であり、０．５倍〜１．５倍が好ましく、この距離に等しいことがより好ましい。サブガイド線１６の全長を、この好ましい範囲とすることで、サブガイド線１６に開封が誘導されて内容物との接触を避け易くなる。
【００４５】
なお、サブガイド線の全長とは、各線分の長さの合計を意味し、図１の例では、サブガイド線１６を構成する平行部１７および斜線部１８ａ，１８ｂの各線の長さを合わせた合計長さである。
【００４６】
サブガイド線１６を、このような構成とすることにより、包装袋１０の長さ方向を反転させて開封をトップシール部１２ａおよびボトムシール部１２ｂのいずれのギザノッチ１４ａ，１４ｂから行っても、スムーズにガイド線１５へ誘導することができる。つまり、開封開始時には、斜線部１８ａまたは１８ｂによりサブガイド線１６からガイド線１５に近づくことでガイド線１５方向にスムーズに引裂きを進められる。また、ガイド線１５に進んだ引裂きがサブガイド線１６に戻ることなく、ガイド線１５に沿って進め易くなる。さらに、平行部１７により、開封時にサブガイド線１６に接触する可能性が高まり、開封が誘導され易くなるので、内容物に接触するおそれを低減できる。
【００４７】
また、サブガイド線１６により、開封方向の制限がなくなることで、印刷等により開封方向を目視で誘導させることが不要になる。さらに、加工範囲が折込部１３上に制限されることでサブガイド線１６のデザイン作成のための加工が簡素化できる。
【００４８】
ガイド線１５およびサブガイド線１６は、表裏面上の同じ側に付されることが好ましい。表裏いずれかのみに付したのでは、包装袋１０を容易に開封することが困難なことがある。また、表裏で異なる側に付した場合も、同様に開封が困難なことがある。ここで、同じ側とは、表裏面間の高さを挟んで同じ側との意である。なお、ガイド線１５およびサブガイド線１６は、表裏面上の同じ側に付されていればよく、展開時に折込部１３を挟んで線対称になるように、位置や間隔が表裏で一致していなくてもよい。ただし、見映えや加工を容易にすることを考慮すれば、一致していることが、より好ましい。
【００４９】
包装袋１０を構成するフィルムは単層であっても多層構造であってもよいが、通常は、アルミニウム等の金属やポリエステル、ナイロン、ポリオレフィン等の樹脂を含むフィルム層から構成される。具体的には、多層の場合は、最表層としては、ポリエチレンテレフタレート等のポリエステル層またはナイロン層が好ましく、逆に最裏層は、ポリエチレン等のポリオレフィン層が好ましい。また、目的にもよるが、中間にはアルミニウム層が含まれると、バリア性が向上するために好ましい。その他、ナイロン樹脂、アクリル系樹脂等による層も好適な場合がある。さらに、中間層の金属は、汎用性の面から通常はアルミニウムが用いられるが、たとえば、銅箔、スチール箔、金箔等の他の金属を含んでもよい。
【００５０】
フィルムの加工方法としては、通常、包装袋のフィルムを作製する際に用いられている方法であれば特に制限はないが、フィルムが単層の場合には、たとえば、インフレーション方式またはＴ型ダイス方式の樹脂溶融フィルム成形等が挙げられる。また、フィルムが多層の場合には、たとえば、押出ラミネート、ドライラミネート、多層のインフレーション方式または多層のＴ型ダイス方式の樹脂溶融フィルム成形等が挙げられる。
【００５１】
ガイド線１５およびサブガイド線１６は、たとえば、市販のレーザマーカにより、表面より炭酸ガスレーザを照射すれば容易に付すことができる。これにより、これらの線を容易に付すことができる。また、これらの線を付す加工は、包装袋１０の製袋前後のいずれに行ってもよいが、通常、内容物を入れる前に付される。
【００５２】
ここで、ガゼットタイプの袋においては、図４に示す包装袋２０のように、図７に示した包装袋１００よりも、幅が狭かったり、厚さがあることにより、幅と厚さが同程度となり、折込部が幅方向に相対的に深く形成される袋がある。このような形状の袋においては、折込部を超えて内側までサブガイド線を付し難くなるので、折込部上にサブガイド線１６を付す本発明は、開封方向を逆とした場合に易開封性を維持できる他、包装袋の幅や厚さに関わらず容易にサブガイド線を付せることで易開封性を維持できる。
【００５３】
さらに言えば、折込部上にサブガイド線１６を付すことで、袋の幅に対する折込部の深さの割合が、どの程度であってもガイド線１５への誘導機能が損なわれることがない。
【００５４】
また、サブガイド線１６は、端部においてガイド線に近づく部分と、その端部につながる平行ないしは内側に凸状の部分とを有していれば、長さ方向を反転させて開封をトップシール部１２ａおよびボトムシール部１２ｂのいずれの方向から行う場合であっても、ガイド線へ誘導するように機能するので、図１に示した形状に限られない。図５は本発明の他の形態の包装袋の表面図であり、図６は本発明のさらに他の形態の包装袋の表面図である。
【００５５】
図５に示す包装袋３０は、サブガイド線３６が、平行部３７の一端にのみ斜線部３８が付された形状となっている。このサブガイド線３６では、片側に斜線部が無い分、図１に示した包装袋１０の平行部１７に比して、平行部３７が、斜線部が形成されない側に長く伸びており、平行部３７の斜線部が形成されない側の先端と、斜線部３８の先端との間の長さ方向の距離が、図３に示した間隔ｋに相当するようになっている。
【００５６】
また、図６に示す包装袋４０は、サブガイド線４６が、中間部４７と、この両側においてガイド線１５に近づく端部４８とが、連続的かつ一体的な円弧線状に付されている。
【００５７】
包装袋４０では、サブガイド線４６がガイド線１５に対して内側に凸状の連続的な円弧線により構成されているため、開封時にサブガイド線４６のどの位置においても一貫してガイド線１５に誘導させることができ、トップシール部１２ａおよびボトムシール部１２ｂのいずれからもスムーズな開封が可能となる。
【００５８】
なお、図６の例では、サブガイド線４６は、中間部４７および端部４８は、いずれも同じ曲率で形成されているが、異なる曲率としてもよい。ただし、ガイド線１５への誘導機能と加工の容易性を考慮すれば、端部４８の曲率が中間部４７の曲率以上であることが好ましく、中間部４７および端部４８の曲率が同じであることがより好ましい。
【００５９】
また、サブガイド線４６は、ガイド線１５に対して内側に凸状であれば双方の端部４８において長さが異なっていたり、付されるサブガイド線４６ごとに形状が異なっていてもよい。ただし、図１に示したサブガイド線１６と同様の理由から、双方の端部４８の長さが等しくなるように対称形状に付すことが好ましく、各サブガイド線４６の形状も統一されていることが好ましい。
【００６０】
なお、包装袋３０，４０においても、包装袋１０とサブガイド線の形状が異なる以外は同様の構成である。
【００６１】
また、サブガイド線の形状は、図示した例に限られず、たとえば、端部のガイド線に近づく部分のみを円弧線で形成したり、逆に端部につながる部分のみを円弧線で形成してもよい。ただし、端部につながる部分がガイド線１５から離れる直線状であったり、ガイド線１５側に湾曲した形状をしていると、ガイド線１５への誘導機能が得られにくくなる。そのため、端部につながる部分は、直線であれば、図１および図５に示したようにガイド線１５に平行に、円弧線であれば、図６に示したように内側に凸状に、少なくとも付す必要がある。
【００６２】
さらに、上述した各例では、開封開始点はギザノッチ１４ａ，１４ｂにより構成されているが、これに限らず、たとえば切欠きであってもよい。切欠きの場合は、折込部１３を引き裂かないように、折込部１３より幅方向中央側に形成することが好ましい。
【００６３】
さらに、本発明の包装袋は、三方袋、四方袋と言った、いわゆるピロー形状をなすタイプの袋や、ガゼットタイプとは折込部の有無のみが異なる、合掌袋にも適用してもよい。
【産業上の利用可能性】
【００６４】
本発明は、ＰＴＰ（Ｐｒｅｓｓ  Ｔｈｒｏｕｇｈ  Ｐａｃｋａｇｅ）シート等を収容する包装袋の用途において適用可能である。
【符号の説明】
【００６５】
１０，２０，３０，４０  包装袋
１１                    合わせ部（センターシール部）
１２ａ                  幅方向に沿う端域（トップシール部）
１２ｂ                  幅方向に沿う端域（ボトムシール部）
１２ｃ                  長さ（奥行）方向に沿う側端
１３                    折込部
１３ａ                  折込部の谷部
１４ａ，１４ｂ          ノッチ（ギザノッチ）
１５                    ガイド線
１６，３６，４６        サブガイド線
１７，３７              平行部
１８ａ，１８ｂ，３８    斜線部
４７                    中間部
４８                    端部
ｅ                      谷部からの距離
ｆ                      折込部の深さ（谷部から側端までの距離）
ｋ                      間隔
【図１】
2019206370.tif 000003
【図２】
2019206370.tif 000004
【図３】
2019206370.tif 000005
【図４】
2019206370.tif 000006
【図５】
2019206370.tif 000007
【図６】
2019206370.tif 000008
【図７】
2019206370.tif 000009